(57)【要約】【課題】操作者に特定の操作を要求せずに個人識別を行い、個人毎に視聴履歴を蓄積して番組推薦を行う番組推薦装置を提供する。【解決手段】本発明の番組推薦装置は、個人識別子を制御コードに重畳できる操作装置と、操作装置から発せられた信号から個人識別子を抜き出すことのできる制御信号受信手段と、番組情報を取得する手段と、操作者の視聴履歴を蓄積して嗜好を解析する手段と、複数人分の操作者の視聴履歴を蓄積する手段と、視聴履歴から解析された嗜好と取得した番組情報から番組を推薦する手段とを具備する映像受信機から構成される。【選択図】図１
2006041662.tif 000002
【特許請求の範囲】
【請求項１】
操作者の識別子を制御信号に重畳できる操作装置と、制御信号を受信して重畳された操作者識別子を抜き出す手段と、操作者識別子により各個人毎に視聴している番組の情報を蓄積する手段と、蓄積した視聴番組情報から操作者の嗜好に応じた番組を推薦する手段を具備し、複数人が同一の放送受信装置の操作を行っても、制御信号に重畳された操作者識別子により操作者毎の番組視聴履歴を蓄積することで、個人毎に番組推薦を行うことができる番組推薦装置。
【請求項２】
音声認識機能による操作手段を具備し、発声による声の特徴により個人識別を行って個人毎に視聴履歴を蓄積することで各個人の嗜好に応じた番組推薦を行うことを特徴とする請求項１記載の番組推薦装置。
【発明の詳細な説明】
【技術分野】
【０００１】
本発明は、視聴者の視聴した各番組に対する番組情報を蓄積し、その情報から嗜好を分析して視聴者に番組を推薦する番組推薦装置に関する。
【背景技術】
【０００２】
従来、番組情報を利用して利用者の嗜好に応じた番組を推薦する装置が公知である（例えば、特許文献１参照）。
【０００３】
上記従来の番組推薦装置の構成と動作を、図３を用いて説明する。リモコン３１０のお勧めボタンが押下されるとお勧め番組判断手段３０６は履歴情報蓄積手段３０５に蓄積されている過去のチャンネル履歴の情報に基づき、現在時刻に提供可能でこの時間帯によく視聴している番組に類似する番組を選択してお勧め番組としてチャンネルを切り替えて放送再生手段３０３に出力する。
【特許文献１】特開２００１−２７５０４８号公報
【発明の開示】
【発明が解決しようとする課題】
【０００４】
しかしながら、複数人が同一機器を使用するにあたって推薦用に蓄積するデータに複数人の嗜好が反映されてしまい、番組推薦を要求した者のみの嗜好に応じた番組推薦が行えないという問題を有している。つまり、番組推薦の精度を向上させるためには個人識別を行い、各人毎に視聴履歴などの番組推薦に必要な情報を蓄積する必要がある。
【０００５】
しかしながらそれを実現するためには操作者が変わるたびに識別のための設定操作を操作者に求めることになってしまう。これは操作者に負荷を与え、機能の使用を放棄させるかもしれない。
【０００６】
本発明ではこのような問題を解決すべく、操作者に特定の操作を要求せずに個人識別を行い、個人毎に視聴履歴を蓄積して番組推薦を行う番組推薦装置を提供することを目的とする。
【課題を解決するための手段】
【０００７】
本発明の請求項１に係る番組推薦装置は、個人識別子を制御コードに重畳できる操作装置と、操作装置から発せられた信号から個人識別子を抜き出すことのできる制御信号受信手段と、番組情報を取得する手段と、操作者の視聴履歴を蓄積して嗜好を解析する手段と、複数人分の操作者の視聴履歴を蓄積する手段と、視聴履歴から解析された嗜好と取得した番組情報から番組を推薦する手段とを具備する映像受信機を用いて課題を解決する。個人識別子を制御コードに重畳できる操作装置を操作することで、放送受信装置は制御信号受信手段により受信した制御コードが誰の操作であるかを特定する。操作の結果選局された番組と、その番組に関する番組情報が個人毎に視聴履歴を蓄積する手段により蓄積される。メニュー操作や操作装置に備えられた推薦番組を表示する機能により操作者に番組の推薦を要求された場合は、操作装置に重畳された個人識別子により推薦を要求する操作者を特定し、その操作者用に蓄積された視聴履歴を嗜好解析手段により解析して、推薦番組を提示することを特徴とする。
【０００８】
また、請求項２に係る番組推薦装置は、請求項１の番組推薦装置の構成にて操作装置を音声認識機能による操作に置き換え、請求項１の番組推薦装置の構成においては操作装置から発せられる制御信号に重畳された操作者の識別子により操作者を識別していたが、これを操作者の発声の特徴にて行うことを特徴とする。
【発明の効果】
【０００９】
以上のように本発明の番組推薦装置により、操作装置に個人識別子を重畳する、あるいは音声認識機能に対する発声を個人の区別に利用することで、特定の操作を要求することなく個人毎に視聴履歴を蓄積し、番組推薦を要求した操作者の嗜好のみを分析した精度の高い番組推薦を行うことが可能となる。
【発明を実施するための最良の形態】
【００１０】
請求項１に記載の発明は操作者に自身が誰かを特定させる操作を必要とせずに、操作者の嗜好に応じた番組推薦を行えるように構成したものであり、操作装置により個人識別子を重畳した制御コードを映像信号受信装置に発すると、映像信号受信装置内で操作の結果選局された番組が操作者用の視聴履歴データベースに蓄積され、操作者が番組推薦を要求した際にその操作者の嗜好を分析した結果から視聴可能な番組を推薦することが出来る。複数人が同一のテレビを操作する場合、各人が頻繁に操作を行ったとしても全ての操作に個人識別子が重畳されているため、各人毎に視聴履歴が蓄積される。従って番組推薦が要求された場合は複数人の嗜好が混同されて分析されることは無く、推薦を要求した操作者の嗜好のみを分析して番組を推薦する。
【００１１】
以下、本発明の実施の形態について図１から図３を用いて説明する。
【００１２】
（実施の形態１）
図１は本発明の一実施例における番組推薦装置のブロック構成図を示す。図１において、符号１０１は操作装置、１０２は受信装置、１０３は復号手段、１０４は選局手段、１０５は操作者識別手段、１０６は番組情報取得手段、１０７は視聴履歴蓄積手段、１０８は番組推薦手段、１０９は表示手段を示す。
【００１３】
以上のように構成された番組推薦装置について、以下その動作を説明する。図１において、操作装置１０１は放送受信装置を操作する手段である。操作装置より出力された制御コードは受信装置１０２が受信、復号手段１０３が復号して選局手段１０４を制御する。選局手段１０４により選局された番組は表示手段１０９に表示される。復号手段１０３は操作装置１０１から送信された制御信号を復号する際に、選局を要求する制御信号と重畳された個人識別子を分離し、制御信号は選局手段１０４へ、個人識別子は操作者識別手段１０５に入力され、操作者が特定される。番組情報取得手段１０６は放送信号そのものに重畳された情報、あるいはインターネットに接続されインターネット上から番組情報を取得する。選局手段１０４の選局結果と取得した番組情報から視聴中の番組情報を取得することが出来るので視聴履歴蓄積手段１０７に蓄積し、番組推薦手段１０８はその視聴履歴情報と番組情報取得手段１０６により取得した番組情報によって今後視聴可能な番組を推薦し、表示手段１０９に表示する。
【００１４】
次に上記構成において番組推薦を行う動作について説明する。操作者は自身の個人識別子を登録した操作装置１０１により制御コードを送信して放送受信装置に選局を要求する。このとき制御コードには操作装置１０１に登録された個人識別子が重畳されている。受信手段１０２がこの制御コードを受信し、復号装置１０３が選局を要求する制御コードと重畳された個人識別子を分離し、選局要求は選局手段１０４に、個人識別子は操作者識別手段１０５に入力される。選局手段１０４は要求に従い選局を行う。操作者識別手段は入力された個人識別子が既に登録されている識別子ならば内部制御用の識別子に変換し、未登録の識別子ならば新規内部制御用識別子として登録する。番組情報取得手段１０６は入力された選局手段１０４による選局結果を元に視聴中の番組の番組情報を視聴履歴蓄積手段１０７に対して出力する。この番組情報には番組のタイトルやジャンル、登場人物、放送時間等の情報を含んでおり、視聴履歴蓄積手段１０７はこれら一式を蓄積する。このとき、視聴履歴蓄積手段１０７は操作者識別手段１０５からの出力に応じて各人毎にデータベースを作成・管理するため、個人識別子が未登録のものならばその個人用に新規にデータベースを作成し、番組情報を蓄積する。既に登録されている個人識別子ならばその個人のデータベースに番組情報を蓄積する。
【００１５】
操作者が番組推薦を要求する場合、操作装置１０１上に用意された番組推薦ボタンや、あるいは放送受信装置に用意されたメニュー階層を操作装置１０１の操作によって辿り、番組推薦機能を呼び出すことになる。この操作においても制御コードに個人識別子が重畳されているため、番組情報蓄積時と同様の制御を行い、操作者識別装置１０５により操作者が特定される。操作者識別手段１０５からの出力により視聴履歴蓄積手段１０７は現在操作している操作者用の視聴履歴を番組推薦手段１０８に出力する。番組推薦手段１０８は視聴履歴から嗜好を分析し、番組情報取得手段１０６からの出力と照らし合わせて現在以降に視聴可能な、操作者の嗜好に合った番組を表示手段１０９に表示して推薦する。操作者はこの表示内容に対して選局要求あるいは視聴予約を行う。
【００１６】
（実施の形態２）
図２は本発明の一実施例における番組推薦装置の第２実施例のブロック構成図を示す。図２において、符号２０１は収音装置、２０２は受信装置、２０３は音声認識手段、２０４は選局手段、２０５は番組情報取得手段、２０６は発声者識別手段、２０７は視聴履歴蓄積手段、２０８は番組推薦手段、２０９は表示手段を示す。
【００１７】
以上のように構成された番組推薦装置について、以下その動作を説明する。図２において、収音装置２０１は音声認識機能によって放送受信装置を操作する際に用いる音声入力手段である。操作者はこの収音装置２０１に対して選局を要求する発声を行う。発声された音声は赤外線で送信され、放送受信装置に送信され、受信手段２０２で受信し、音声認識手段２０３と発声者識別手段２０６に入力される。音声認識手段２０３は入力された音声から単語を識別してその単語に対する選局動作を選局手段２０４に要求する。発声者識別手段２０６は入力された音声の声紋から発声者を特定する。なお、番組情報取得手段２０５は実施の形態１の１０６に、視聴履歴蓄積手段２０７は実施の形態１の１０７に、番組推薦手段２０８は実施の形態１の１０８に、表示手段２０９は実施の形態１の１０９に相当するため省略する。
【００１８】
次に上記構成において番組推薦を行う動作について説明する。操作者は収音装置２０１に対して予め決められたキーワードを発声し、放送受信装置に対して選局要求を行う。発声された音声は赤外線などの形で放送受信装置に送信され、これを受信手段２０２が受信する。受信された信号は音声認識手段２０３にて特定の制御コードに一意に決定され、その制御コードに応じた選局操作が選局手段２０４に要求される。
【００１９】
また、受信手段２０２が受信した音声信号は発声者識別手段２０６にも入力され、声紋を分析することで操作者を特定する。入力された声紋が既に登録されている操作者のものならばその操作者の制御用内部識別子が出力される。未登録の操作者であることが判明した場合、その操作者用に新規に制御用内部識別子を登録して、その識別子を出力する。
【００２０】
番組情報取得手段２０５は入力された選局手段２０４による選局結果により視聴中の番組の番組情報を視聴履歴蓄積手段２０７に対して出力する。この番組情報には番組のタイトルやジャンル、登場人物、放送時間等の情報を含んでおり、視聴履歴蓄積手段２０７はこれら一式を蓄積する。このとき、視聴履歴蓄積手段２０７は発声者識別手段２０６からの出力に応じて各人毎にデータベースを作成・管理するため、個人識別子が未登録のものならばその個人用に新規にデータベースを作成し、番組情報を蓄積する。既に登録されている個人識別子ならばその個人のデータベースに番組情報を蓄積する。
【００２１】
操作者が番組推薦を要求する場合、収音装置２０１に番組推薦用のキーワードを発声することで、番組推薦機能を呼び出すことになる。番組推薦要求のための発声が収音装置２０１から発せられ、受信装置２０２に受信され、発声者識別手段２０６にて番組推薦を要求したものが誰かを特定し、番組情報蓄積時と同様の経路を辿ることで、発声者識別手段１０５からの出力により視聴履歴蓄積手段２０７は現在操作している発声者用の視聴履歴を番組推薦手段２０８に出力する。番組推薦手段２０８は視聴履歴から嗜好を分析し、番組情報取得手段２０５からの出力と照らし合わせて現在以降に視聴可能な、操作者の嗜好に合った番組を表示手段２０９に表示して推薦する。操作者はこの表示内容に対して選局要求あるいは視聴予約を行う。
【産業上の利用可能性】
【００２２】
本発明の番組推薦装置は、操作装置に個人識別子を重畳する、あるいは音声認識機能に対する発声を個人の区別に利用することで、特定の操作を要求することなく個人毎に視聴履歴を蓄積し、番組推薦を要求した操作者の嗜好のみを分析した精度の高い番組推薦を行うことが可能となるため、番組を受信可能な全てのＡＶ機器で有用である。
【図面の簡単な説明】
【００２３】
【図１】本発明の一実施例における番組推薦装置のブロック図
【図２】本発明の一実施例における番組推薦装置のブロック図
【図３】従来の番組推薦装置のブロック図
【符号の説明】
【００２４】
１０１    操作装置
１０２、２０２    受信手段
１０３    復号手段
１０４、２０４    選局手段
１０５    操作者識別手段
１０６、２０５    番組情報取得手段
１０７、２０７    視聴履歴蓄積手段
１０８、２０８    番組推薦手段
１０９、２０９    表示手段
２０１    収音装置
２０３    音声認識手段
２０６    発声者識別手段
【図１】
2006041662.tif 000003
【図２】
2006041662.tif 000004
【図３】
2006041662.tif 000005